【手続補正書】
【提出日】平成24年7月31日(2012.7.31)
【手続補正１】
【補正対象書類名】明細書
【補正対象項目名】０００２
【補正方法】変更
【補正の内容】
【０００２】
従来から、液晶表示装置等の表示装置の画面上で図柄等がスクロールし、そのスクロールした図柄等が予め定めた組み合わせで停止表示すると、遊技者にとって有利な特別遊技状態（例えば、大当たり）に移行し、遊技者に所定の遊技価値が付与されるパチンコ機が知られている。このパチンコ機では、特別遊技状態へ移行すると、入賞口を閉鎖していた開閉部材の開閉動作が複数回に亘って行われ、入賞口に遊技球等が入賞することで、遊技者に遊技価値が付与される。
【手続補正２】
【補正対象書類名】明細書
【補正対象項目名】０００８
【補正方法】変更
【補正の内容】
【０００８】
また、請求項１記載の遊技機において、開閉部材とは、開口を閉鎖状態にする一方で開放状態となる場合に下端を軸として前面側に回動する開閉板（例えば、第１種パチンコ機の大入賞口を閉鎖する開閉板）、開口を閉鎖状態にする一方で開放状態となる場合に下端を軸として左右方向に回動する羽根（例えば、第２種パチンコ機の可変入賞装置の両側左右に設けられる羽根）や、常には開口への入賞が可能であるが開放した場合に開口へ入賞し易くする羽根（例えば、第１種パチンコ機の始動口の下部両側に設けられる羽根）などが例示される。
【手続補正３】
【補正対象書類名】明細書
【補正対象項目名】０００９
【補正方法】変更
【補正の内容】
【０００９】
請求項２記載の遊技機は、請求項１記載の遊技機において、前記特別遊技状態は、前記駆動制御手段によって制御される前記開閉部材の開閉動作が所定回行われた場合又は所定数の遊技媒体の入賞があった場合に終了する単位ゲームが少なくとも１以上含まれる遊技状態であり、前記移行判別手段により前記特別遊技状態に移行すると判別された場合に、その特別遊技状態において付与される遊技価値を設定する価値設定手段と、その価値設定手段により設定される遊技価値に基づいて、所定の単位ゲームを終了させる契機となる前記開閉部材の開閉動作の回数を設定し、前記単位ゲームにおける前記開閉部材の開閉動作が複数回である場合に前記開閉部材が第１の開時間で開閉動作する回数および第２の開時間で開閉動作する回数を設定する回数設定手段とを備えている。
【手続補正４】
【補正対象書類名】明細書
【補正対象項目名】００１１
【補正方法】変更
【補正の内容】
【００１１】
請求項３記載の遊技機は、請求項２記載の遊技機において、前記回数設定手段は、前記第１及び第２の開時間による開閉動作の回数とそれらが実行される順序とを対応付けして設定可能であり、前記移行判別手段によって前記特別遊技状態に移行すると判別された場合に前記価値設定手段によって異なる遊技価値が設定されることとなる複数種類の特別遊技状態がそれぞれ行われるのに際して前記第２の開時間による開閉動作の回数をそれぞれ１以上に設定し、前記第１の開時間による開閉動作の回数が１以上に設定される場合であっても第２の開時間による開閉動作が優先して行われるように実行順を設定するものである。
【手続補正５】
【補正対象書類名】明細書
【補正対象項目名】００１４
【補正方法】変更
【補正の内容】
【００１４】
請求項２記載の遊技機によれば、請求項１記載の遊技機の奏する効果に加え、特別遊技状態において付与される遊技価値に基づいて、所定の単位ゲームを終了させる契機となる開閉部材の開閉動作の回数が設定され、単位ゲームにおける開閉部材の開閉動作が複数回である場合に第１の開時間で開閉動作する回数および第２の開時間で開閉動作する回数が設定されるので、単位ゲームにおける開閉動作の回数を異ならせたり、単位ゲームで開閉動作する開閉部材の開時間を異ならせることができる。よって、特別遊技状態により付与される遊技価値によって、開閉部材の開閉動作の態様が多様になるので、遊技者に開閉部材の開閉動作に興味を持たせることができるし、第１の開時間で開放状態が維持される開閉動作が行われることを常に遊技者に期待させることができ、興趣の向上を図ることができるという効果がある。
【手続補正６】
【補正対象書類名】明細書
【補正対象項目名】００１７
【補正方法】変更
【補正の内容】
【００１７】
請求項３記載の遊技機によれば、請求項２記載の遊技機の奏する効果に加え、回数設定手段は、移行判別手段によって特別遊技状態に移行すると判別される場合に価値設定手段によって異なる遊技価値が設定されることとなる複数種類の特別遊技状態がそれぞれ行われるのに際して第２の開時間による開閉動作の回数をそれぞれ１以上に設定し、第１の開時間による開閉動作の回数が１以上に設定される場合であっても第２の開時間による開閉動作が優先して行われるように実行順を設定するので、特別遊技状態になると、第２の開時間による開閉動作が優先して行われる。よって、特別遊技状態中に、第２の開時間による開閉動作のみが行われる場合と、第１及び第２の開時間の両方による開閉動作が行われる場合とが存在すれば、特別遊技状態に移行した最初の開閉動作が第２の開時間によるものであっても、今回の特別遊技状態が第１の開時間による開閉動作を含む場合もあるので、第１の開時間で開放状態が維持される開閉動作が行われることを遊技者に期待させることができ、興趣の向上を図ることができるという効果がある。
【手続補正７】
【補正対象書類名】特許請求の範囲
【補正対象項目名】全文
【補正方法】変更
【補正の内容】
【特許請求の範囲】
【請求項１】
遊技媒体が入賞可能な開口と、
その開口を開放状態としたのち閉鎖状態とする開閉動作を行う開閉部材と、
その開閉部材を駆動する駆動手段と、
その駆動手段による前記開閉部材の駆動を制御する駆動制御手段と、
始動条件が成立した場合に始動情報を取得する取得手段と、
その取得手段により取得される始動情報に基づいて、前記駆動制御手段によって制御される前記開閉部材の開閉動作が複数回に亘って行われる特別遊技状態に移行するかを判別する移行判別手段と、
その移行判別手段により前記特別遊技状態へ移行すると判別された場合に、前記開閉部材が開放状態を維持する開時間として、第１の開時間およびその第１の開時間より短い第２の開時間を設定可能な開時間設定手段とを備え、
前記駆動制御手段は、前記開時間設定手段により設定される開時間に基づいて、前記開閉部材が開閉動作するように前記駆動手段を制御するものであることを特徴とする遊技機。
【請求項２】
前記特別遊技状態は、前記駆動制御手段によって制御される前記開閉部材の開閉動作が所定回行われた場合又は所定数の遊技媒体の入賞があった場合に終了する単位ゲームが少なくとも１以上含まれる遊技状態であり、
前記移行判別手段により前記特別遊技状態に移行すると判別された場合に、その特別遊技状態において付与される遊技価値を設定する価値設定手段と、
その価値設定手段により設定される遊技価値に基づいて、所定の単位ゲームを終了させる契機となる前記開閉部材の開閉動作の回数を設定し、前記単位ゲームにおける前記開閉部材の開閉動作が複数回である場合に前記開閉部材が第１の開時間で開閉動作する回数および第２の開時間で開閉動作する回数を設定する回数設定手段とを備えていることを特徴とする請求項１記載の遊技機。
【請求項３】
前記回数設定手段は、
前記第１及び第２の開時間による開閉動作の回数とそれらが実行される順序とを対応付けして設定可能であり、
前記移行判別手段によって前記特別遊技状態に移行すると判別された場合に前記価値設定手段によって異なる遊技価値が設定されることとなる複数種類の特別遊技状態がそれぞれ行われるのに際して前記第２の開時間による開閉動作の回数をそれぞれ１以上に設定し、前記第１の開時間による開閉動作の回数が１以上に設定される場合であっても第２の開時間による開閉動作が優先して行われるように実行順を設定することを特徴とする請求項２記載の遊技機。